(57)【要約】【課題】水陸両用車に搭載された発熱源を良好に冷却しつつ、レイアウトの効率化及び車両重量の低減に有効な水陸両用車の冷却装置及びこれを備えた水陸両用車を提供する。【解決手段】水陸両用車の冷却装置は、水陸両用車に搭載された熱交換器と、前記熱交換器に対して冷媒として冷却気又は冷却水を外部から導入可能な冷媒導入路と、前記熱交換器を通過した前記冷却気を、外部に連通する冷却気排出部に排出可能な冷却気排出路と、前記熱交換器を通過した前記冷却水を、外部に連通する冷却水排出部に排出可能な冷却水排出路とを備え、前記冷却気排出路及び前記冷却水排出路は、少なくとも前記冷却気排出部及び前記冷却水排出部が互いに独立するように形成される。【選択図】図２
2019018748.tif 000002
【特許請求の範囲】
【請求項１】
水陸両用車に搭載された熱交換器と、
前記熱交換器に対して冷媒として冷却気又は冷却水を外部から導入可能な冷媒導入路と、
前記熱交換器を通過した前記冷却気を、外部に連通する冷却気排出部に排出可能な冷却気排出路と、
前記熱交換器を通過した前記冷却水を、外部に連通する冷却水排出部に排出可能な冷却水排出路と
を備え、
前記冷却気排出路及び前記冷却水排出路は、少なくとも前記冷却気排出部及び前記冷却水排出部が互いに独立するように形成される、水陸両用車の冷却装置。
【請求項２】
前記熱交換器を通過した後の前記冷媒の排出先を、前記冷却気排出路及び前記冷却水排出路のいずれか一方に選択的に切替可能に構成された流路切替部を更に備える、請求項１に記載の水陸両用車の冷却装置。
【請求項３】
前記流路切替機構は、
前記冷却気排出路及び前記冷却水排出路間を連通する開口部と、
前記開口部に対して前記冷却水排出路側から取り付けられた仕切り板と、
前記仕切り板を前記開口部に対して弾性的に付勢する付勢部材と、
を含む、請求項２に記載の水陸両用車の冷却装置。
【請求項４】
前記冷却気排出路は前記冷却水排出路との分岐点より下流側にファンを有する、請求項１から３の何れか一項に記載の水陸両用車の冷却装置。
【請求項５】
前記冷却気排出路は前記冷却水排出路との分岐点より下流側が、前記水陸両用車の喫水線より上方に位置する、請求項１から４の何れか一項に記載の水陸両用車の冷却装置。
【請求項６】
前記冷却水排出路には、前記熱交換器を通過した後の前記冷却水を用いて推力を発生させる推進装置が配置されている、請求項１から５の何れか一項に記載の水陸両用車の冷却装置。
【請求項７】
前記冷媒導入路及び前記冷却水排出路を連通するバイパス路を更に備え、
前記冷媒導入路を流れる前記冷媒の一部が前記熱交換器を通過することなく、前記バイパス路を介して前記推進装置に供給可能に構成された、請求項６に記載の水陸両用車の冷却装置。
【請求項８】
前記冷媒導入路に前記冷却水を圧送可能なポンプを更に備える、請求項１から７の何れか一項に記載の水陸両用車の冷却装置。
【請求項９】
前記ポンプによって圧送された前記冷却水を前記熱交換器に対して上方から散布可能な散布部を更に備える、請求項８に記載の水陸両用車の冷却装置。
【請求項１０】
前記冷却気排出路及び前記冷却水排出路は前記熱交換器側に共有空間を有しており、
前記共有空間は仕切部材で仕切られることにより前記冷却水が貯留可能に構成され、且つ、貯留された前記冷却水を排出可能なドレイン路を有する、請求項１から９の何れか一項に記載の水陸両用車の冷却装置。
【請求項１１】
前記仕切部材は前記共有空間の床面から前記熱交換器より上方に至るまで延在する、請求項１０に記載の水陸両用車の冷却装置。
【請求項１２】
前記冷却気排出部は前記仕切部材より上方に設けられる、請求項１０又は１１に記載の水陸両用車の冷却装置。
【請求項１３】
前記ドレイン路は、前記水陸両用車が水上運転から陸上運転に切り替えるタイミングで開状態になることで前記共有空間に貯留された前記冷却水が排出されるように構成される、請求項１０から１２の何れか一項に記載の水陸両用車の冷却装置。
【請求項１４】
請求項１乃至１１の何れか一項に記載の冷却装置を備えることを特徴とする水陸両用車。
【発明の詳細な説明】
【技術分野】
【０００１】
本開示は、陸上運転及び水上運転を切替可能な水陸両用車の冷却装置、及び、当該冷却装置を搭載する水陸両用車に関する。
【背景技術】
【０００２】
一般に、水陸両用車はレジャー目的を主としたものであったが、震災時などに孤立した地域へ水上航行を経由して上陸する必要性等も高まり、水上での長距離航行を想定した水陸両用車が求められている。このような水陸両用車は、内燃機関や電動機のような動力源をはじめとする発熱源を有しており、水陸両用車の安定的な動作を実現するために、これらを冷却するための冷却装置が搭載される。
【０００３】
特許文献１には、陸上モードと水上モードで運転される水陸両用車において、陸上モード時に周囲の空気と熱交換可能な空気―液体熱交換器と、水上モード時に周囲の水と熱交換可能な液体―液体熱交換器とを搭載したものが開示されている。
【先行技術文献】
【特許文献】
【０００４】
【特許文献１】特表２００８−５２１６７９号公報
【発明の概要】
【発明が解決しようとする課題】
【０００５】
乗用車や船舶等、通常の乗り物における冷却装置では、一つの熱交換器に対して一種類の冷媒が用いられるのが一般的である。上述の特許文献１では、水陸両用車は陸上と水上との両方で運用される特性を利用して、陸上モードと水上モードとに夫々応じた２種類の熱交換器を搭載している。このような構成は、水上モードでは陸上モードに比べて走行負荷が大きく発熱量が増えるため、水上モードでは、空気−空気熱交換器に比べて冷却能力に優れる空気−液体熱交換器を利用する点で理にかなっている。しかしながら、２種類の熱交換器を搭載することは、車両における占有容積が増えることによって車両レイアウトの制約が増してしまうことや、車両全体の重量増加を招いてしまう。
【０００６】
本発明の少なくとも一つの実施形態は上述の事情に鑑みてなされたものであり、水陸両用車の運転状態に応じて良好な冷却効果を得つつ、レイアウトの効率化及び車両重量の低減に有効な水陸両用車の冷却装置及びこれを備えた水陸両用車を提供することを目的とする。
【課題を解決するための手段】
【０００７】
（１）本発明の幾つかの実施形態に係る水陸両用車の冷却装置は、
水陸両用車に搭載された熱交換器と、
前記熱交換器に対して冷媒として冷却気又は冷却水を外部から導入可能な冷媒導入路と、
前記熱交換器を通過した前記冷却気を、外部に連通する冷却気排出部に排出可能な冷却気排出路と、
前記熱交換器を通過した前記冷却水を、外部に連通する冷却水排出部に排出可能な冷却水排出路と
を備え、
前記冷却気排出路及び前記冷却水排出路は、少なくとも前記冷却気排出部及び前記冷却水排出部が互いに独立するように形成される。
【０００８】
上記（１）の構成によれば、熱交換器を通過した冷却気及び冷却水がそれぞれ排出される冷却気排出路及び冷却水排出路は、少なくとも冷却気排出部及び冷却水排出部が互いに独立するように形成されている。そのため、車両外部から導入される複数の冷媒である冷却気又は冷却水を単一の熱交換器へ取り込んで使用することができる。これにより、陸上運転時には冷媒として冷却気を使用し、水上運転時には冷却水を冷媒として使用することで、熱交換器を運用できる。その結果、熱交換器の搭載数を抑えつつ、車両の走行状態に応じて良好な冷却効果が得られる。また、車両における熱交換器の占有容積を削減することで車両レイアウト性を向上でき、更に車両全体の重量低減にも効果的である。
【０００９】
（２）幾つかの実施形態では、上記（１）の構成において、
前記熱交換器を通過した後の前記冷媒の排出先を、前記冷却気排出路及び前記冷却水排出路のいずれか一方に選択的に切替可能に構成された流路切替部を更に備える。
【００１０】
上記（２）の構成によれば、冷却装置内に導入される冷媒の種類（冷却気又は冷却水）に応じて、排出先に至る流路を冷却気排出路及び冷却水排出路の何れか一方に選択的に切替えることができる。これにより、各冷媒を、対応する各流路内へそれぞれ確実に案内することができる。
【００１１】
（３）幾つかの実施形態では、上記（２）の構成において、
前記流路切替部は、
前記冷却気排出路及び前記冷却水排出路間を連通する開口部と、
前記開口部に対して前記冷却水排出路側から取り付けられた仕切り板と、
前記仕切り板を前記開口部に対して弾性的に付勢する付勢部材と、
を含む。
【００１２】
上記（３）の構成によれば、冷却水排出路に冷却水が流入しない場合（例えば陸上運転時）には、流路切替部では、付勢部材によって仕切り板が開口部に対して付勢されることで開口部が塞がれた状態となる。この場合、冷媒導入路から導入される冷却気は、熱交換器を通過した後、冷却水排出路に侵入することなく、冷却気排出路から外部に排出される流路を形成する。一方、冷却気排出路に冷却水が流入する場合（例えば水上運転時）、冷却気に比べて比重が大きな冷却水によって付勢部材の付勢力を上回る抗力が作用することで仕切り板が開くため、開口部に冷却水が流入する。この場合、冷媒導入路から導入される冷却水は、熱交換器を通過した後、開口部を介して冷却水排出路から外部に排出される流路を形成する。
このように、車両が陸上運転時であり冷却装置内に冷却気が流入する状況では、冷却水排出へ至る開口部は閉じているため、冷却気が確実に冷却気排出路に案内される。一方で、車両が水上運転時であり冷却装置内に冷却水が流入する状況では、開口部が冷却水により自動的に開くため、冷却水が確実に冷却水排出路に案内される。このような流路切替は、アクチュエータのようにエネルギーの消費を伴うアクティブデバイスを必要とせず、冷却装置内に流入する冷媒の流路を確実に切り分けることができる。
【００１３】
（４）幾つかの実施形態では、上記（１）〜（３）の何れか一つの構成において、
前記冷却気排出路は前記冷却水排出路との分岐点より下流側にファンを有する。
【００１４】
上記（４）の構成によれば、冷却気排出路は冷却水排出路との分岐点より下流側に送風用のファンを有するため、陸上運転時にファンを駆動することにより熱交換器への冷却気の導入又は排出を促進できる。またファンが配置される冷却気排出路は、上述のように冷却水の侵入が防止されるため、ファンは冷却水に曝されることがなく、長期にわたって安定的な動作を確保できる。
【００１５】
（５）幾つかの実施形態では、上記（１）〜（４）の何れか一つの構成において、
前記冷却気排出路は前記冷却水排出路との分岐点より下流側が、前記水陸両用車の喫水線より上方に位置する。
【００１６】
上記（５）の構成によれば、冷却気排出路は冷却水排出路との分岐点より下流側が、水陸両用車の喫水線より上方に位置するため、車両が水上運転時にあっても冷却気排出路のうち冷却気排出部の近傍は浸水することがなく、腐食による劣化を抑制できる。
【００１７】
（６）幾つかの実施形態では、上記（１）〜（５）の何れか一つの構成において、
前記冷却水排出路には、前記熱交換器を通過した後の前記冷却水を用いて推力を発生させる推進装置が配置されている。
【００１８】
上記（６）の構成によれば、冷却水排出路に推進装置を配置することで、水上運転時に、熱交換器を通過した後の冷却水を用いて推力を安定的に発生させることができる。また推進装置では冷却水の吸い込みが行われるため、上流側に配置される熱交換器への冷却水の取り込みを促進し、良好な冷却効果が得られる。
【００１９】
（７）幾つかの実施形態では、上記（６）の構成において、
前記冷媒導入路及び前記冷却水排出路を連通するバイパス路を更に備え、
前記冷媒導入路を流れる前記冷媒の一部が前記熱交換器を通過することなく、前記バイパス路を介して前記推進装置に供給可能に構成される。
【００２０】
上記（７）の構成によれば、冷媒導入路及び冷却水排出路を連通するバイパス路を更に備える。水上運転時には車両状態によって、熱交換器を追加した冷却水のみでは推進装置にとって十分な水量を確保することが難しい場合がある。このような場合であっても、本構成では、バイパス路を介して推進に必要な十分な水量を確保できる。
【００２１】
（８）幾つかの実施形態では、上記（１）〜（７）の何れか一つの構成において、
前記冷媒導入路に前記冷却水を圧送可能なポンプを更に備える。
【００２２】
上記（８）の構成によれば、冷媒導入路に冷却水を圧送可能なポンプを更に備えている。そのため、例えば喫水線が下がってしまう状況下においても、ポンプで冷却水を強制的に汲み上げることができ、熱交換器に安定して冷却水を供給することができる。
【００２３】
（９）幾つかの実施形態では、上記（８）の構成において、
前記ポンプによって圧送された前記冷却水を前記熱交換器に対して上方から散布可能な散布部を更に備える。
【００２４】
上記（９）の構成によれば、ポンプによって圧送された冷却水を熱交換器に対して上方から散布可能な散布部を更に備えているため、冷却水を熱交換器に対して偏りなく供給することができる。その結果、水上運転時において、安定して高い冷却効果を享受することができる。
【００２５】
（１０）幾つかの実施形態では、上記（１）〜（９）の何れか一つの構成において、
前記冷却気排出路及び前記冷却水排出路は前記熱交換器側に共有空間を有しており、
前記共有空間は仕切部材で仕切られることにより前記冷却水が貯留可能に構成され、且つ、貯留された前記冷却水を排出可能なドレイン路を有する。
【００２６】
上記（１０）の構成によれば、共有空間に冷却水を貯留することで、水上運転時に車両状態に関わらず、共有空間に貯留された冷却水に熱交換器を水没させ、安定して高い冷却効果を得ることができる。
【００２７】
（１１）幾つかの実施形態では、上記（１０）の構成において、
前記仕切部材は前記共有空間の床面から前記熱交換器より上方に至るまで延在する。
【００２８】
上記（１１）の構成によれば、仕切部材は共有空間の床面から熱交換器より上方に至るまで延在しているため、冷却水を熱交換器の上方に至るまで貯留できる。これにより、共有空間に貯留された冷却水に熱交換器を確実に水没させ、安定して高い冷却効果を得ることができる。
【００２９】
（１２）幾つかの実施形態では、上記（１０）又は（１１）の構成において、
前記冷却気排出部は前記仕切部材より上方に設けられる。
【００３０】
上記（１２）の構成によれば、冷却気排出部は仕切部材より上方に設けられているため、共有空間に貯留された冷却水から冷却気排出部を良好に隔離できる。
【００３１】
（１３）幾つかの実施形態では、上記（１０）〜（１２）の何れか一つの構成において、
前記ドレイン路は、前記水陸両用車が水上運転から陸上運転に切り替えるタイミングで開状態になることで前記共有空間に貯留された前記冷却水が排出されるように構成される。
【００３２】
上記（１３）の構成によれば、車両が水上運転である間はドレイン路が閉じることで、冷却水が共有空間に貯留され、熱交換器が水没される。そして、陸上運転時に切り替わると、ドレイン路が開き、共有空間に貯留された冷却水が排出される。これにより、水上運転時に貯留された冷却水を排出することで車両重量を低減するとともに、空となった共有空間に対して陸上運転時に使用される冷却気を取り込むことができる。このようにドレイン路を開閉することにより、車両の運転状況（水上運転又は陸上運転）に応じた熱交換器の冷却ができる。
【００３３】
（１４）本発明の幾つかの実施形態に係る水陸両用車は、
上記（１）〜（１１）の何れか一構成に係る冷却装置を備える。
【００３４】
上記（１４）の構成によれば、上述の冷却装置（上記各種態様を含む）を備えることで、運転状態（陸上運転又は水上運転）に応じて熱交換器を適切且つ十分に冷却できるため、様々な環境下において安定した走行性能を発揮することができる。
【発明の効果】
【００３５】
本発明の少なくとも一実施形態によれば、水陸両用車の運転状態に応じて良好な冷却効果を得つつ、レイアウトの効率化及び車両重量の低減に有効な水陸両用車の冷却装置及びこれを備えた水陸両用車を提供できる。
【図面の簡単な説明】
【００３６】
【図１】本発明の一実施形態に係る冷却装置を備えた水陸両用車の全体構成を概略的に示す模式図である。
【図２】第１実施形態に係る冷却装置において陸上運転時の冷却気の流れを示す拡大図である。
【図３】第１実施形態に係る冷却装置において、水上運転時の冷却水の流れを示す拡大図である。
【図４】第２実施形態に係る冷却装置を示す図である。
【図５】第３実施形態に係る冷却装置を示す図である。
【図６】図５の変形例である。
【図７】一実施形態に係る仕切部材及びドレイン路を備えた冷却装置を示す図である。
【発明を実施するための形態】
【００３７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００３８】
まず、図１を参照して、本発明の一実施形態に係る冷却装置２０を備える水陸両用車１０の全体構成について説明する。図１は、本発明の一実施形態に係る冷却装置２０を備えた水陸両用車１０の全体構成を概略的に示す模式図である。
【００３９】
図１に示すように、水陸両用車１０は、略直方体形状をなす車両本体１２を有する。車両本体１２の下側には、陸上運転時において、エンジン１４からの駆動力が動力伝達手段（不図示）を介して伝達される複数の車輪１３が設けられている。また車両本体１２には、水上運転時において、エンジン１４からの駆動力が動力伝達手段（不図示）を介して伝達されるプロペラ又はウォータージェットを備えた水上推進器（不図示）が設けられている。このように、水陸両用車１０は、水上運転時にはエンジン１４により水上推進器を駆動させ、陸上運転時にはエンジン１４により車輪１３を回転させることで水上及び陸上での運転が可能に構成されている。
【００４０】
水陸両用車１０の動力源として搭載されるエンジン１４は、例えば不図示のシリンダブロックに形成されたウォータージャケット内で冷却水を循環させることにより冷却される。図１では、このようなエンジン１４の冷却装置２０が示されており、エンジン１４を循環する冷却水を外部の冷媒（冷却気又は冷却水）と熱交換して冷却するための熱交換器２１を含んでいる。
【００４１】
尚、後述する各実施形態においては、熱交換器２１として、エンジン１４の冷却水を外部の冷媒と熱交換することで冷却するものを例示するが、本発明はこれに限るものではない。例えば、エンジン１４の代わりに動力源としてモータが採用されている場合はモータ用の冷却水と熱交換する熱交換器であってもよいし、車両の空調に使用される冷却サイクルの一部を構成する熱交換器、インタークーラやＥＧＲクーラ等に使用される熱交換器等にも適用可能である。
【００４２】
一般的に、水陸両用車では、陸上運転時の空気抵抗よりも水上運転時の水抵抗の方が大きくなるため、水上運転時の方が陸上運転時に比べて相対的にエンジン負荷が増加し、これに伴って水上運転時により多くの冷却量が必要となる。したがって、陸上運転時と水上運転時とで、車両の冷却に望ましい冷媒や冷却装置のサイズは異なっている。具体的に言えば、エンジン負荷が高くなる水上運転時には、空気を冷媒とすると、冷却に必要な熱交換器のサイズが大きくなってしまうため、少量で高い冷却効果が望め、周囲に大量に存在する冷却水を車両外部から取り込んで冷媒とするのが望ましい。一方で、必要な冷却容量が比較的少ない陸上運転時には、周囲に存在するのは空気であるため、車両外部の空気を取り込んで冷媒とすることが望ましい。ここで仮に水上運転時には冷却水を使用する一の熱交換器を使用し、陸上運転時には冷却機を使用する他の熱交換機を使用しようとすると、複数台の熱交換器を搭載しなければならず、車両レイアウトの制約を増やしたり、車両における占有容積及び車両全体の重量増加を招いてしまうおそれがある。このような課題は以下に説明する各実施形態によって好適に解消可能である。
【００４３】
（第１実施形態）
第１実施形態について図２及び図３を参照しながら説明する。図２は第１実施形態に係る冷却装置２０において陸上運転時の冷却気の流れを示す拡大図であり、図３は第１実施形態に係る冷却装置２０において水上運転時の冷却水の流れを示す拡大図である。
【００４４】
冷却装置２０は、水陸両用車１０に搭載された熱交換器２１と、熱交換器２１に対して冷媒として冷却気５０又は冷却水６０を外部から導入可能な冷媒導入路２２と、熱交換器２１を通過した冷却気５０を、外部に連通する冷却気排出部２３に排出可能な冷却気排出路２４と、熱交換器２１を通過した冷却水６０を、外部に連通する冷却水排出部２５に排出可能な冷却水排出路２６とを備える。
【００４５】
車両は図示する進行方向に沿って進行し、それに伴い、車両外部から周囲に存在する冷媒（冷却気５０又は冷却水６０）が冷媒取込口１６（図１参照）に流入する。すなわち冷媒取込口１６には、陸上運転時には冷却気５０が導入され、水上運転時には冷却水６０が導入される。
【００４６】
尚、本実施形態では冷却気５０及び冷却水６０の熱交換器２１への導入は、共通する単一の冷媒導入路２２を介して行われるが、冷媒導入路２２は冷却気５０及び冷却水６０が熱交換器２１に導入可能な限りにおいて、途中で分岐していてもよいし、冷却気５０及び冷却水６０についてそれぞれの専用の取込口が独立的に設けられていてもよい。
【００４７】
熱交換器２１を通過した後の冷媒は、冷媒が冷却気５０である場合、図２に示されるように、冷却気排出路２４を介して冷却気排出部２３から外部へ排出される。一方、冷媒が冷却水６０である場合、図３に示されるように、冷却水排出路２６を介して冷却水排出部２５から外部へ排出される。
【００４８】
このように、熱交換器２１を通過した冷却気５０及び冷却水６０がそれぞれ通過する冷却気排出路２４及び冷却水排出路２６は、少なくとも冷却気排出部２３及び冷却水排出部２５が互いに独立するように形成されている。そのため、車両外部から導入される冷却気５０又は冷却水６０を単一の熱交換器２１へ取り込んで使用することができる。これにより、陸上運転時には冷媒として冷却気５０を使用し、水上運転時には冷媒として冷却水６０を使用するで、単一の熱交換器２１を利用できるので、車両への熱交換器の搭載台数を抑えることができ、また、車両における熱交換器２１の占有容積を削減することで車両レイアウト性を向上し、車両全体の重量低減にも有効である。
【００４９】
本実施形態における冷却装置２０は、熱交換器２１を通過した後の冷媒の排出先を、冷却気排出路２４及び冷却水排出路２６のいずれか一方に選択的に切替可能に構成された流路切替部３３を更に備える。
【００５０】
流路切替部３３は、冷却気排出路２４及び冷却水排出路２６間を連通する開口部３４と、開口部３４に対して冷却水排出路２６側から取り付けられた仕切り板３１と、仕切り板３１を開口部３４に対して付勢する付勢部材３２とを含む。ここで、付勢部材３２は、仕切り板３１に対して、冷媒流入方向と逆向きの方向に所定の付勢力（弾性力）で付勢するものであり、例えば、ねじりコイルバネである。付勢部材３２の付勢力は、冷却気５０が開口部３４に流入する際の抗力よりも強く、冷却水６０が開口部３４に流入する際の抗力よりも弱くなるように設定される。このため、本実施形態における流路切替部３３は、付勢力よりも大きな抗力がかかる場合にのみ、仕切り板３１が冷媒流入方向に沿って持ち上がるように構成されている（図３参照）。
【００５１】
上記のような構成によれば、陸上運転時は、冷却気５０が開口部３４の近傍に流入するものの、冷却気５０の抗力が付勢部材３２の付勢力よりも小さいため、仕切り板３１が持ち上がることがなく、開口部３４は塞がれた状態となり、冷却気５０が冷却気排出路２４を通過することとなる（図２参照）。一方で、水上運転時は、冷却気５０よりも比重の大きい冷却水６０は抗力が大きくなるため付勢部材３２の付勢力を上回り、仕切り板３１が持ち上がることで開口部３４に冷却水６０が流入し、冷却水６０が冷却水排出路２６を通過することとなる（図３参照）。
【００５２】
このように、陸上運転時に冷却装置２０内に冷却気５０が流入する状況では、冷却水排出路２６へ至る開口部３４は閉じているため、冷却気５０は冷却気排出路２４に案内され、冷却水排出路２６に流入することはない。一方で、水上運転時に冷却装置２０内に冷却水６０が流入する状況では、冷却水６０により自動的に開口部３４が開くため、冷却水６０は冷却水排出路２６に案内される（冷却気排出路２４は喫水線より上方に設けられるため、冷却水６０が冷却気排出路２４に流入することはない）。したがって、流路切替部３３はアクチュエータのようなアクティブな駆動機構を必要とすることなく、冷却装置２０内に流入する冷媒に応じて流路を適切に切り替えることができる。
【００５３】
また、本実施形態では、冷却気排出路２４において冷却水排出路２６との分岐点より下流側に設けられたファン３６をさらに備える。ファン３６は例えば車両に搭載された不図示のバッテリから供給される電力によって駆動可能であり、陸上運転時に駆動されることで負圧を発生させ、熱交換器２１への冷却気５０の導入及び熱交換器２１からの冷却気５０の排気を促進するように構成されている。
【００５４】
またファン３６は、冷却気排出路２４のうち冷却水排出路２６との分岐点より下流側（冷却気排出部２３付近）に配置されている。ファン３６が配置された位置は、冷却気排出路２４のうち冷却気排出部２３の近傍であり、上述したように冷却水６０の侵入が防止される領域である。そのため、ファン３６は水上運転時においても冷却水６０に曝されることがなく、腐食等による劣化が抑制され、長期にわたって安定的な動作が可能になっている。
【００５５】
（第２実施形態）
次に、第２実施形態について図４を参照しながら説明する。図４は第２実施形態に係る冷却装置２０を示す図である。尚、以下の説明では上述の実施形態に対応する構成には共通の符号を付すこととし、特段の記載がない限りにおいて、重複する説明は省略する。
【００５６】
第２実施形態に係る冷却装置２０は、冷却水排出路２６に設けられた推進装置３８を備える。推進装置３８は、水上運転時に動力源となる水上推進器の一部を構成する要素であり、例えば車両のエンジン１４から駆動力を得ることで、熱交換器２１を通過した後の冷却水６０を吸い込み、推力Ｆを発生させる。推進装置３８は、例えばスクリューやウォータージェットである。
【００５７】
水上運転時には、第１実施形態１と同様に、冷却水６０が冷却装置２０内に流入し、熱交換器２１から冷却水排出部２５へ至る流れが生じるが、このような流れは推進装置３８によって更に促進される。一般的に、水上運転時の車両が旋回するために速度を落としたり、車両の進行方向と逆向きの強風が吹いている場合には、冷却装置２０内に流入する冷却水６０の量が通常の水上運転時に比べて少なくことがある。このような状況では、熱交換器２１が水上運転時という高負荷状態であるにも関わらず、冷却水６０の流入量が足りなくなり、必要な冷却量の確保が難しくなることが考えられる。
【００５８】
第２実施形態では、冷却水排出路２６に推進装置３８を備えることによって、上記のように熱交換器２１への冷却水６０の導入量が不足しがちな運転状況においても、推進装置３８によって冷却水６０を強制的に取り込むことができる。この結果、車両の水上運転の状態に関わらず、安定的に熱交換器２１への冷却水６０の取り込みを確保でき、必要な冷却量を十分に確保できる。
【００５９】
また冷却装置２０は冷媒導入路２２及び冷却水排出路２６を連通するバイパス路３９を更に備える。そのため、冷媒導入路２２を流れる冷却水６０の一部は、熱交換器２１を通過することなく、バイパス路３９を介して推進装置３８に供給可能に構成されている。
【００６０】
上述した推進装置３８は、ある程度の水量を吸い込むことによって作動し推力Ｆを発生するが、水上運転時の車両状態によっては、熱交換器２１を通過した冷却水６０のみでは推進装置３８が十分な推力を発生させるために必要な水量を確保することが難しい場合があり得る。そこで本実施形態では、バイパス路３９を設けることにより、バイパス路３９を介して推進装置３８が必要な水量を余分に確保できるため、安定した推進性能が得られる。また、陸上運転から水上運転に切り替えた際には、空の冷却水排出路２６に冷却水６０が至るまでに少なからず時間を要するが、このようにバイパス路３９を設けることで、その時間を短縮し、より早いタイミングで水上運転への移行を完了させることができる。
尚、バイパス路３９は車両外部と冷却水排出路２６を連通するように構成してもよい。その際に、例えば車両に搭載された不図示のバッテリから供給される電力によって駆動可能なポンプを使用することで、冷却水排出路２６に車両外部から冷却水６０を圧送するように構成してもよい。
【００６１】
（第３実施形態）
次に、第３実施形態について説明する。図５は第３実施形態に係る冷却装置２０を示す図である。尚、以下の説明では上述の実施形態に対応する構成には共通の符号を付すこととし、特段の記載がない限りにおいて、重複する説明は省略する。
【００６２】
第３実施形態では、冷却装置２０は、冷媒導入路２２に冷却水６０を圧送可能なポンプ４１を更に備える。
水上運転時、熱交換器２１で十分な冷却量を得るためには、熱交換器２１を水面下に配置させることが望ましい。しかし、車両の航行速度が上昇すると、揚力により車体が浮上して喫水線Ｌが下がってしまい、これにより熱交換器２１が水面上に露出してしまう状況が生じ得る。そこで、本実施形態では、冷媒導入路２２に冷却水６０を圧送可能なポンプ４１を備えることで、上記のように喫水線Ｌが熱交換器２１の上部よりも下がってしまう状況においても、ポンプ４１で冷却水６０を強制的に汲み上げて冷却装置２０に供給することで、安定的に良好な冷却量を確保できる。
【００６３】
また本実施形態では、ポンプ４１によって圧送された冷却水６０を熱交換器２１に対して上方から散布可能な散布部４２を備える。このような構成とすることで、車両の運転状況に関わらず、冷却水６０を熱交換器２１に対して偏りなく供給することができる。この結果、水上運転時において、安定して良好な冷却量が得られる。
【００６４】
本実施形態では、水上運転時には冷却水はポンプ４１によって汲み上げられ、熱交換器２１に対して上方側から流入し、熱交換器２１を追加した後は、自重によって下方へ流れ落ちるように開口部２８を通り、冷却水排出路２６に排出される。一方、陸上運転時には冷却気５０は冷媒導入路２２を介して熱交換器２１へ供給され、熱交換器２１を通過した後は、冷却気排出路２４の下流側に設けられたファン３６により冷却気排出部２３から排出される。
【００６５】
尚、本実施形態では冷却気排出路２４及び冷却水排出路２６は独立して構成されているが、図６に示すように、冷却水排出路２６を省略して、冷却気排出部２３及び冷却水排出部２５のみが独立するように構成してもよい。このような構成とすることで、冷却装置２０の内部構造をシンプル化できる。
【００６６】
（第４実施形態）
次に、第４実施形態について図７を参照しながら説明する。図７は第４実施形態に係る冷却装置２０を示す図である。尚、以下の説明では上述の実施形態に対応する構成には共通の符号を付すこととし、特段の記載がない限りにおいて、重複する説明は省略する。
【００６７】
本実施形態では、冷却気排出路２４及び冷却水排出路２６は熱交換器２１側に共有空間４４を有する。共有空間４４は仕切部材４５で仕切られることにより冷却水６０が貯留可能に構成されている。共有空間４４にはドレイン路４６が設けられており、共有空間４４に貯留された冷却水６０を排出可能に構成されている。ドレイン路４６は、例えば車両外部と連通するように構成される。
【００６８】
上述したように、水上運転時は十分な冷却量を確保するためには、熱交換器２１を水面下に配置することが好ましい。本実施形態によれば、共有空間４４に冷却水６０を貯留することで、水上運転時に車両状態に関わらず、熱交換器２１を貯留された冷却水６０に水面下に配置させることができる。これにより、十分な冷却量を安定して得ることができる。
【００６９】
図７に示されるように、共有空間４４を区画する仕切部材４５は、共有空間４４の床面から熱交換器２１より上方に至るまで延在している。そのため、水上運転時には共有空間４４に熱交換器２１を完全に浸すために十分な冷却水を貯留することができる。
【００７０】
また、冷却気排出部２３は仕切部材４５より上方に設けられている。そのため水上運転時においても冷却気排出部２３は共有空間４４に貯留された冷却水から良好に隔離され、腐食を効果的に防止できる。
【００７１】
またドレイン路４６は、水陸両用車１０が水上運転から陸上運転に切り替わるタイミングで開状態になることで共有空間４４に貯留された冷却水６０が排出される。例えば、水上運転から陸上運転に切り替える際、トランスファーによって動力を推進装置から車輪１３に切り替えることに伴って、ドレイン路４６を開閉するとよい。
【００７２】
具体的に説明すると、車両が水上運転である間はドレイン路４６が閉じているため、冷却水６０は共有空間４４に貯留されるが、陸上運転時に切り替わると、ドレイン路４６が開くことにより、共有空間４４に貯留された冷却水６０が排出される。これにより、共有空間４４で冷却水が占めていた領域に冷却気５０を取り込むことが可能となる。
【００７３】
以上、本発明の実施形態について説明したが、本発明は上述した実施形態に限定されることはなく、上述した実施形態に変形を加えた形態や、これらの形態を適宜組み合わせた形態も含む。
【００７４】
本明細書において、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
また、本明細書において、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
また、本明細書において、一の構成要素を「備える」、「含む」、又は、「有する」という表現は、他の構成要素の存在を除外する排他的な表現ではない。
【符号の説明】
【００７５】
１０    水陸両用車
１２    車両本体
１３    車輪
１４    エンジン
１６    冷媒取込口
２０    冷却装置
２１    熱交換器
２２    冷媒導入路
２３    冷却気排出部
２４    冷却気排出路
２５    冷却水排出部
２６    冷却水排出路
３１    仕切り板
３２    付勢部材
３３    流路切替部
３４    開口部
３６    ファン
３８    推進装置
３９    バイパス路
４１    ポンプ
４２    散布部
４４    共有空間
４５    仕切部材
４６    ドレイン路
Ｌ      喫水線
Ｆ      推力
【図１】
2019018748.tif 000003
【図２】
2019018748.tif 000004
【図３】
2019018748.tif 000005
【図４】
2019018748.tif 000006
【図５】
2019018748.tif 000007
【図６】
2019018748.tif 000008
【図７】
2019018748.tif 000009